(57)【要約】【課題】携帯端末において、簡単な構成で金属感のある外観を得る。【解決手段】金属フレーム１０がインサート成形され、この金属フレーム１０の正面側に表示部２が収容される正面側キャビネット３と、この正面側キャビネット３の背面側に結合される背面側キャビネット４とを設ける。金属フレーム１０を正面側キャビネット３の側面の背面側キャビネット４との結合面７側に露出させる。例えば、この露出させた金属フレーム１０の背面側の背面側キャビネット４の側面に付属部品としてサイドキーユニット６を設ける。【選択図】図１
2014165765.tif 000002
【特許請求の範囲】
【請求項１】
金属フレームがインサート成形され、該金属フレームの正面側に表示部が収容される正面側キャビネットと、
上記正面側キャビネットの背面側に結合される背面側キャビネットとを備えた携帯端末において、
上記金属フレームは、上記正面側キャビネットの側面の上記背面側キャビネットとの結合面側に露出している
ことを特徴とする携帯端末。
【請求項２】
請求項１に記載の携帯端末において、
上記露出した金属フレームの背面側の上記背面側キャビネットの側面に付属部品が設けられている
ことを特徴とする携帯端末。
【請求項３】
請求項２に記載の携帯端末において、
上記付属部品は、サイドキーユニットである
ことを特徴とする携帯端末。
【発明の詳細な説明】
【技術分野】
【０００１】
本発明は、金属フレームがインサート成形され、この金属フレームの正面側に表示部が収容される正面側キャビネットを有する携帯端末に関するものである。
【背景技術】
【０００２】
従来より、この種の携帯端末は、例えば、特許文献１のように、アルミニウム合金、マグネシウム合金、ステンレス鋼等よりなる金属フレームを正面側キャビネットにインサート成形することにより、剛性確保と薄型化とを図っている。通常、この金属フレームは、携帯端末の外観に全く現れていない。
【先行技術文献】
【特許文献】
【０００３】
【特許文献１】特開２０１２−２４４４５６号公報
【発明の概要】
【発明が解決しようとする課題】
【０００４】
ところで、従来の携帯端末では、キャビネットに金属感を持った加飾を施したい場合、キャビネットに蒸着を施したり、蒸着を施した別部品を追加したりしていた。
【０００５】
例えば図３に示すように、蒸着Ｂ（ハッチングで示す）を正面側キャビネット２０３に行うと、通常の塗装Ａとの差しわけ蒸着となるので、差しわけ溝Ｃが必要となって見栄えが悪化する。一方で、背面側キャビネット２０４に蒸着を行えば、結合面２０７で差しわけになるが、サイドキー２０６を設ける位置で、蒸着の帯を切らねばならない。この帯を切らないようにすると、サイドキー２０６を背面側にずらさなければならず、携帯端末２０１の厚さが増えてしまったり、メイン基板２０８との接続が困難になったりするという問題がある。
【０００６】
また、図４に示すように、加飾用別部品３０８を用いる場合、金属フレーム３１０からの高さＨの分だけ携帯端末３０１の厚さが厚くなるという問題がある。
【０００７】
本発明は、かかる点に鑑みてなされたものであり、その目的とするところは、簡単な構成で金属感のある外観が得られるようにすることにある。
【課題を解決するための手段】
【０００８】
上記の目的を達成するために、この発明では、正面側キャビネットにインサートする金属フレームを側面に露出させるようにした。
【０００９】
具体的には、第１の発明では、金属フレームがインサート成形され、該金属フレームの正面側に表示部が収容される正面側キャビネットと、
上記正面側キャビネットの背面側に結合される背面側キャビネットとを備えた携帯端末を前提とする。
【００１０】
そして、上記金属フレームは、上記正面側キャビネットの側面の上記背面側キャビネットとの結合面側に露出している。
【００１１】
上記の構成によると、金属フレームを正面側キャビネットの側面に露出させることにより、蒸着を行わなくても露出した金属フレームによって金属感のある外観が得られる。そして、背面側キャビネット側にも蒸着を行う必要がないので、結合面の近くにサイドキーなどの付属部品を配置でき、携帯端末の厚さが増えることはない。さらに金属感を得るために蒸着した別部品を取り付ける必要もないので、部品点数が増えない。
【発明の効果】
【００１２】
以上説明したように、本発明によれば、金属フレームを正面側キャビネットの側面の背面側キャビネットとの結合面側に露出させたことにより、簡単な構成で金属感のある外観が得られる。
【図面の簡単な説明】
【００１３】
【図１】図２（ａ）のＩ−Ｉ線断面図である。
【図２】本発明の実施形態にかかる携帯電話機を示し、（ａ）が正面図で、（ｂ）が側面図である。
【図３】従来技術にかかる携帯端末を示し、（ａ）が側面図で、（ｂ）が（ａ）のIIIb−IIIb線断面図である。
【図４】別の従来技術にかかる図１相当図である。
【発明を実施するための形態】
【００１４】
以下、本発明の実施形態を図面に基づいて説明する。
【００１５】
図２は、本発明の実施形態にかかる携帯端末としての携帯電話機１を示し、（ａ）が正面図で、（ｂ）が右側面図であり、図１は、図２（ａ）のＩ−Ｉ線断面図である。携帯電話機１は、正面側に表示部２が収容される矩形皿状の正面側キャビネット３を備えている。正面側キャビネット３の背面側には、背面側キャビネット４が結合され、その背面の一部がリアカバー５で覆われている。携帯電話機１の右側面には、付属部品としてのサイドキーユニット６が配置されている。
【００１６】
正面側キャビネット３には、矩形板状の金属フレーム１０がインサート成形され、その正面側に表示部２がはめ込まれるようになっている。表示部２は、ガラスカバー２ａを備え、その背面側にタッチパネル２ｂ、液晶ユニット２ｃ等が貼り付けられている。この金属フレーム１０の周囲には、インサート成形時の溶融樹脂によって矩形枠状の枠部３ａが形成されている。
【００１７】
そして、本発明の特徴として、金属フレーム１０の少なくとも左右側面の露出部１０ａが、正面側キャビネット３の側面の背面側キャビネット４との結合面７側に露出している。露出部１０ａは、金属フレーム１０の周縁を折り曲げて形成されているが、マグネシウムなどの成型品であれば、成型時に形成すればよい。サイドキーユニット６は、この露出部１０ａの背面側に配置されている。例えば本実施形態では、露出部１０ａは、携帯電話機１の下端の下部装飾部９以外のほぼ全周を覆っている。なお、露出部１０ａが全周に連続するように配置してもよく、左右側面の一部のみに配置してもよい。
【００１８】
このように、金属フレーム１０を正面側キャビネット３の側面に露出させることにより、蒸着を行わなくても露出した金属フレーム１０によって金属感のある外観が得られる。そして、背面側キャビネット４側にも蒸着を行う必要がないので、結合面７の近くにサイドキーユニット６を配置でき、携帯電話機１の厚さが増えることはない。さらに金属感を得るために図４に示したような蒸着した加飾用別部品３０８を取り付ける必要もないので、部品点数が増えない。
【００１９】
したがって、本実施形態にかかる携帯端末によると、金属フレーム１０を正面側キャビネット３側面の背面側キャビネット４との結合面７側に露出させたことにより、簡単な構成で金属感のある外観が得られる。
【００２０】
（その他の実施形態）
本発明は、上記実施形態について、以下のような構成としてもよい。
【００２１】
すなわち、上記実施形態では、露出部１０ａの背面側に付属部品としてサイドキーユニット６を配置した例を示したが、付属部品としてイヤホンジャック、端子挿入口等の部品が設けられていてもよい。なお、必ずしもサイドキーユニット６等の付属品が背面側に設けられていなくても、本発明は適用可能である。
【００２２】
上記実施形態では、携帯端末は、携帯電話機１としたが、ＰＨＳ（Personal Handy-phone System ）、ＰＤＡ(Personal Digital Assistant)、パソコン、モバイルツール、電子辞書、電卓、ゲーム機等であってもよい。
【００２３】
なお、以上の実施形態は、本質的に好ましい例示であって、本発明、その適用物や用途の範囲を制限することを意図するものではない。
【符号の説明】
【００２４】
１      携帯電話機（携帯端末）
２      表示部
２ａ    ガラスカバー
２ｂ    タッチパネル
２ｃ    液晶ユニット
３      正面側キャビネット
３ａ    枠部
４      背面側キャビネット
５      リアカバー
６      サイドキーユニット
７      結合面
１０      金属フレーム
１０ａ    露出部
【図１】
2014165765.tif 000003
【図２】
2014165765.tif 000004
【図３】
2014165765.tif 000005
【図４】
2014165765.tif 000006